(57)【要約】      （修正有）【課題】映像データによって選択的に駆動して駆動の信頼性を向上させることができるプラズマディスプレイ装置及びその駆動方法を提供する。【解決手段】外部から入力される映像データを映像処理して画像が具現されるプラズマディスプレイパネルと、プラズマディスプレイパネル２００の電極（Ｙ，Ｚ）に一つのフレームのサブフィールド期間にサステイン信号を印加する電極駆動部（２４，２５）を含み、映像データが有効信号の場合と非有効信号の場合のサステイン信号は互いに異なることを特徴とする。【選択図】図２
2007094383.tif 000002
【特許請求の範囲】
【請求項１】
外部から入力される映像データを映像処理して画像が具現されるプラズマディスプレイパネルと、
前記プラズマディスプレイパネルの電極に一つのフレームのサブフィールド期間にサステイン信号を印加する電極駆動部を含み、
前記映像データが有効信号の場合と非有効信号の場合の前記サステイン信号は互いに異なることを特徴とするプラズマディスプレイ装置。
【請求項２】
前記サステイン信号の上昇時間を調節することを特徴とする、請求項１記載のプラズマディスプレイ装置。
【請求項３】
前記映像データが前記非有効信号の場合に前記有効信号の場合より前記サステイン信号の上昇時間を長く調節することを特徴とする、請求項２記載のプラズマディスプレイ装置。
【請求項４】
前記一つのフレームのサブフィールドにおいて加重値手順による四番目以後の高階調サブフィールド内の一つ以上のサブフィールドでサステイン信号の上昇時間を長くすることを特徴とする、請求項３記載のプラズマディスプレイ装置。
【請求項５】
前記非有効信号の場合に前記サステイン信号の上昇時間は４５０ｎｓ以上６５０ｎｓ 以下であることを特徴とする、請求項３記載のプラズマディスプレイ装置。
【請求項６】
前記映像データが有効信号の場合と非有効信号の場合の前記一のフレームのサステイン信号数は互いに異なることを特徴とする、請求項１記載のプラズマディスプレイ装置。
【請求項７】
前記映像データが前記非有効信号の場合に前記有効信号の場合より前記一つのフレームのサステイン信号数を減少させることを特徴とする、請求項６記載のプラズマディスプレイ装置。
【請求項８】
前記一つのフレームのサブフィールドで加重値手順による四番目以後の高階調サブフィールド内の一つ以上のサブフィールドでサステイン信号数を減少させることを特徴とする、請求項７記載のプラズマディスプレイ装置。
【請求項９】
前記一つのフレームのサステイン信号個数は２００個以下のことを特徴とする、請求項７記載のプラズマディスプレイ装置。
【請求項１０】
前記映像データが有効信号の場合と非有効信号の場合の前記一つのフレームのサブフィールド数は互いに異なることを特徴とする、請求項１記載のプラズマディスプレイ装置。
【請求項１１】
前記映像データが前記非有効信号の場合に前記有効信号の場合より前記一つのフレームのサブフィールドの数を減少させることを特徴とする、請求項１０記載のプラズマディスプレイ装置。
【請求項１２】
前記一つのフレームのサブフィールドで加重値手順による四番目以後の高階調サブフィールド内の一つ以上のサブフィールドの数を減少させることを特徴とする、請求項１１記載のプラズマディスプレイ装置。
【請求項１３】
前記一つのフレームのサブフィールドの内で二つ以上の連続されたサブフィールドを減少させることを特徴とする、請求項１１記載のプラズマディスプレイ装置。
【請求項１４】
前記映像データが有効信号の場合と非有効信号の場合の一つのフレームの時間は実質的に等しいことを特徴とする、請求項１０記載のプラズマディスプレイ装置。
【発明の詳細な説明】
【技術分野】
【０００１】
本発明はプラズマディスプレイ装置及びその駆動方法に関する。
【背景技術】
【０００２】
一般的にプラズマディスプレイパネルは前面パネルと背面パネルの間に形成された隔壁が一つの単位セルを成すことで、各セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填されている。高周波電圧によって放電される時、不活性ガスは真空紫外線（Ｖａｃｕｕｍ  Ｕｌｔｒａｖｉｏｌｅｔ  ｒａｙｓ）を発生して、隔壁の間に形成された蛍光体を発光させて画像が具現される。このようなプラズマディスプレイパネルは薄く軽い構成が可能なので次世代表示装置として脚光を浴びている。
【０００３】
図１は一般的なプラズマディスプレイパネルの構造を示す斜視図である。
図１に示すように、プラズマディスプレイパネルは、画像がディスプレイになる表示面である前面基板１００及び背面を成す背面基板１１０が一定距離を間に置いて平行に結合される。
【０００４】
図１に示すように、本発明のプラズマディスプレイパネルは、一例では、画像がディスプレイされる表示面である前面基板１０１にスキャン電極（１０２、Ｙ）とサステイン電極（１０３、Ｚ）が対を成して形成された複数の維持電極対が配列された前面パネル１００、及び、背面を成す背面基板１１１上に前述の複数の維持電極対と交差されるように複数のデータ電極（１１３、Ｘ）が配列された背面パネル１１０が一定距離を間に置いて平行に結合される。
【０００５】
前面パネル１００は、一例では、一つの放電セルで相互放電させてセルの発光を維持するためのスキャン電極（１０２、Ｙ）及びサステイン電極（１０３、Ｚ）、すなわち透明なＩＴＯ物質に形成された透明電極（ａ）と金属材質に製作されたバス電極（ｂ）に備えたスキャン電極（１０２、Ｙ）及びサステイン電極（１０３、Ｚ）が対を成して含まれる。
スキャン電極（１０２、Ｙ）及びサステイン電極（１０３、Ｚ）は、放電電流を制限して電極対の間を絶縁させる一つ以上の上部誘電体層１０４によって覆われられて、上部誘電体層１０４上面には放電条件を容易くするために酸化マグネシウム（ＭｇＯ）を蒸着した保護層１０５が形成される。
【０００６】
背面パネル１１０は、一例では、複数個の放電空間すなわち、放電セルを形成させるためのストライプタイプ(またはウェルタイプ)の隔壁１１２が平行を維持して配列される。また、 アドレス放電を遂行して真空紫外線を発生させる複数のデータ電極（１１３、Ｘ）が隔壁１１２に対して平行に配置される。背面パネル１１０の上側面には、アドレス放電の時画像表示のための可視光線を放出するＲ、Ｇ、Ｂ 蛍光体１１４が塗布される。データ電極（１１３、Ｘ）と蛍光体１１４の間にはデータ電極（１１３、Ｘ）を保護するための下部誘電体層１１５が形成される。
【０００７】
このように形成された前面パネル２００と背面パネル２１０がシーリング工程を通じて合着されてプラズマディスプレイパネルが形成される。そしてこのようなプラズマディスプレイパネルには複数の電極、例えばスキャン電極（１０２、Ｙ）、サステイン電極（１０３、Ｚ）及びデータ電極（１１３、Ｘ）などの電極を駆動するための駆動部等が附着されてプラズマディスプレイ装置が構成される。
【０００８】
前述の駆動部は、外部で入力される映像データによって前記各電極に信号を印加することでプラズマディスプレイ装置の画像を具現するようになる。
【０００９】
一方、外部からの映像データが入力されない場合すなわち、目的とする画像表示のための有効信号が存在しない場合に画面に表示するパターンが多様な種類がある。この時、このような無効信号状態の画面パターンはプラズマディスプレイ装置の信頼性を低下させる問題点を発生させる場合がある。
【００１０】
一例では、無効信号状態でも継続して駆動信号が印加されるため、これにより画面に現われる残像が深くなる問題点がある。また、無効信号状態での画面パターンによってはスイチング回数が増加するようになる。これはドライバー集積回路（ＩＣ）の発熱を深化させて深刻な損傷をもたらすおそれがある。
【００１１】
このような無効信号に対応する駆動方法は結局プラズマディスプレイ装置駆動を不安定にさせて信頼性を低下させるようになる。
【発明の開示】
【発明が解決しようとする課題】
【００１２】
本発明の目的は、映像データによって選択的に駆動して駆動の信頼性を向上させることができるプラズマディスプレイ装置及びその駆動方法を提供することにある。
【課題を解決するための手段】
【００１３】
本発明の実施形態によるプラズマディスプレイ装置は、外部で入力される映像データを映像処理して画像が具現されるプラズマディスプレイパネルと、前記プラズマディスプレイパネルの電極に一つのフレームのサブフィールド期間にサステイン信号を印加する電極駆動部を含み、前記プラズマディスプレイパネルに入力される前記映像データが有効信号の場合と非有効信号の場合の前記サステイン信号は互いに異なることを特徴とする。
ここで、有効信号の場合とは、外部から有効な映像データが入力される場合である。無効信号の場合とは、外部から映像データが入力されない場合、すなわち、目的とする画像表示のための有効信号が存在しない場合を示す。
【００１４】
前記サステイン信号の上昇時間を調節することを特徴とする。
【００１５】
前記映像データが非有効信号の場合に前記有効信号の場合より前記サステイン信号の上昇時間を長く調節することを特徴とする。
【００１６】
前記一つのフレームのサブフィールドで加重値手順による四番目以後の高階調サブフィールド内の一つ以上のサブフィールドでサステイン信号の上昇時間を長くすることを特徴とする。加重値手順による四番目以後とは、サブフィールドを加重値が小さい順番で並べた場合に、４番目以降のサブフィールドを示す。例えば、１フレームに８つのサブフィールドがある場合には、加重値が小さいものから順番に並べた場合に、４番目〜８番目のサブフィールドを示す。
【００１７】
前記非有効信号の場合に前記サステイン信号の上昇時間は４５０ｎｓ以上６５０ｎｓ 以下であることを特徴とする。
【００１８】
前記映像データが有効信号の場合と非有効信号の場合の前記一つのフレームのサステイン信号の数は互いに異なることを特徴とする。
【００１９】
前記映像データが前記非有効信号の場合に、有効信号の場合より前記一つのフレームのサステイン信号数を減少させることを特徴とする。
【００２０】
前記一つのフレームのサブフィールドで加重値手順による四番目以後の高階調サブフィールド内の一つ以上のサブフィールドでサステイン信号個数を減少させることを特徴とする。
【００２１】
前記一つのフレームのサステイン信号個数は２００個以下であることを特徴とする。
【００２２】
前記映像データが有効信号の場合と非有効信号の場合の前記一つのフレームのサブフィールドの数は互いに異なることを特徴とする。
【００２３】
前記映像データが前記非有効信号の場合に、前記有効信号の場合より前記一つのフレームのサブフィールドの数を減少させることを特徴とする。
【００２４】
前記一つのフレームのサブフィールドで加重値手順による四番目以後の高階調サブフィールド内の一つ以上のサブフィールドの数を減少させることを特徴とする。
【００２５】
前記一つのフレームのサブフィールドの内で二つ以上の連続されたサブフィールドを減少させることを特徴とする。
【００２６】
前記映像データが有効信号の場合と非有効信号の場合の一つのフレームの時間は実質的に等しいことを特徴とする。
【発明の効果】
【００２７】
本発明は電力消耗を低減して、ドライバー ＩＣの発熱を減少させることができる効果がある。
【００２８】
また本発明は残像特性を改善して向上された画質を提供することができるようにする。
【発明を実施するための最良の形態】
【００２９】
以下では本発明による具体的な実施形態を添付された図面を参照して説明する。
【００３０】
図２は本発明のプラズマディスプレイ装置の第１実施形態を示す図である。
【００３１】
図２に示すように、本発明の第１実施形態によるプラズマディスプレイ装置は、外部から入力される映像データを映像処理して画像が具現されるプラズマディスプレイパネル２００と、プラズマディスプレイパネル２００に形成されたデータ電極（Ｘ１乃至Ｘｍ）にデータを供給するためのデータ駆動部２３と、スキャン電極（Ｙ１乃至Ｙｎ）を駆動するためのスキャン駆動部２４と、共通電極であるサステイン電極（Ｚ）を駆動するためのサステイン駆動部２５と、それぞれの駆動部を制御するためのコントロール部２６と、それぞれの駆動部（２３、２４、２５）に必要な駆動電圧を供給するための駆動電圧発生部２７を含む。
【００３２】
ここで、本発明の理解を助けるために図３及び図４を参照してプラズマディスプレイ装置の駆動方法の一例を詳しく説明しようとする。
【００３３】
図３は本発明のプラズマディスプレイ装置の画像階調を具現する方法の一例を示す図である。
【００３４】
図３に示すようにプラズマディスプレイパネルに画像を具現させるために本発明のプラズマディスプレイ装置は、一つのフレームを複数のサブフィールドで分けて駆動することができる。すなわち、各サブフィールドをすべてのセルを初期化させるためのリセット期間、放電するセルを選択するためのアドレス期間及び放電回数によって階調を具現するサステイン期間で分けて駆動することができる。
【００３５】
例えば、２５６階調で画像を表示しようとする場合に１／６０秒にあたるフレーム期間（１６．６７ｍｓ）は、８個のサブフィールド（ＳＦ１乃至ＳＦ８）で分けられるようになる。８個のサブフィールド（ＳＦ１乃至ＳＦ８）それぞれは、前述のように、リセット期間（ＲＰ）、アドレス期間（ＡＰ）及びサステイン期間（ＳＰ）で分けられる。この時、各サブフィールドのリセット期間（ＲＰ）とアドレス期間（ＡＰ）は各サブフィールドごとに等しい一方、サステイン期間とそれに割り当てされるサステイン信号の数は各サブフィールドで２ｎ（ｎ＝０、１、２、３、４、５、６、７）の割合で増加される。このように各サブフィールドでサステイン期間が変わるので、各サブフィールドのサステイン期間すなわち、サステイン放電回数を調節して画像の階調を表現するようになる。
【００３６】
このようなプラズマディスプレイパネルの駆動波形の一例を注意深くみれば図４のようである。
【００３７】
図４は本発明のプラズマディスプレイ装置の駆動波形の一例を示す図である。
【００３８】
図４を参照すれば、サブフィールド（ＳＦ）それぞれは、全画面の放電セルを初期化するためのリセット期間（ＲＰ）、放電セルを選択するためのアドレス期間（ＡＰ）及び選択された放電セルの放電を維持させるためのサステイン期間（ＳＰ）を含む。
【００３９】
リセット期間（ＲＰ）において、セットアップ期間（ＳＵ）にはすべてのスキャン電極（Ｙ）に上昇ランプ波形（ＰＲ）が同時に印加される。この上昇ランプ波形（ＰＲ）によって、全画面のセル内には微弱な放電(セットアップ放電)が起きるようになってセル内に壁電荷が生成される。上昇ランプ波形（ＰＲ）が印加された後、セッダウン期間（ＳＤ）には上昇ランプ波形（ＰＲ）のピーク電圧より低い正極性（＋）のサステイン電圧（Ｖｓ）から負極性のスキャン電圧（−Ｖｙ）まで所定の傾きで立ち下がる下降ランプ波形（ＮＲ）がスキャン電極（Ｙ）に同時に印加される。下降ランプ波形（ＮＲ）は、セル内に微弱な消去放電を起こすことでセットアップ放電によって生成された壁電荷及び空間電荷の内で不要電荷を消去させて、全画面のセル内にアドレス放電に必要な壁電荷を均一に残留させる。
【００４０】
アドレス期間（ＡＰ）には、負極性（−）のスキャン信号（ＳＣＮＰ）がスキャン電極（Ｙ）に順に印加されるとともに、それに同期してデータ電極に正極性（＋）のデータ信号（ＤＰ）が印加される。このスキャン信号（ＳＣＮＰ）とデータ信号（ＤＰ）の電圧差とリセット期間（ＲＰ）に生成された壁電圧が加わりながら、データ信号（ＤＰ）が印加されるセル内にはアドレス放電が発生される。アドレス放電によって選択されたセル内には壁電荷が生成される。
【００４１】
一方、セッダウン期間（ＳＤ）とアドレス期間（ＡＰ）間にサステイン電極（Ｚ）には正極性（＋）のバイアス電圧（Ｖｚｂ）が印加される。
【００４２】
サステイン期間（ＳＰ）には、スキャン電極（Ｙ）とサステイン電極（Ｚ）に交互的にサステイン信号（ＳＵＳＰ）が印加される。それにより、アドレス放電によって選択されたセルはセル内の壁電圧とサステイン信号（ＳＵＳＰ）が加わりながら、毎サステイン信号（ＳＵＳＰ）が印加される時度に、スキャン電極（Ｙ）とサステイン電極（Ｚ）の間に面放電形態でサステイン放電すなわち、画像を表示する表示放電が起きる。
【００４３】
以上のように、プラズマディスプレイ装置の画像を具現する駆動方法の一例を注意深く見た。以後は、図２の本発明のプラズマディスプレイ装置の第１実施形態をずっと注意深く見るようとする
【００４４】
図２の本発明の第１実施形態によるプラズマディスプレイ装置は、前述のプラズマディスプレイパネル２００と、それぞれの駆動部（２３、２４、２５）とそれぞれの駆動部を制御するためのコントロール部２６と駆動電圧発生部２７を含み、またサブフィールド数制御部２２をさらに含む。
【００４５】
プラズマディスプレイパネル２００は前面基板（図示せず）と背面基板（図示せず）が一定な間隔を置いて合着されて、前面基板には一例で複数の電極例えば、スキャン電極（Ｙ１乃至Ｙｎ）及びサステイン電極（Ｚ）が対を成して形成されて、背面基板にはスキャン電極（Ｙ１乃至Ｙｎ）及びサステイン電極（Ｚ）と交差されるようにデータ電極（Ｘ１乃至Ｘｍ）が形成される。
【００４６】
データ駆動部２３は、図示しない逆ガンマ補正回路、誤差拡散回路等によって逆ガンマ補正及び誤差拡散された後、サブフィールドマッピング回路によってあらかじめ設定されたサブフィールドパターンにマッピングされたデータが供給される。このデータ駆動部２３は、タイミングコントローラ２６の制御下において、データをサンプリングしてラッチした後、そのデータをデータ電極（Ｘ１乃至Ｘｍ）に供給する。
【００４７】
スキャン駆動部２４は、タイミングコントローラ２６の制御の下において、リセット期間の間の全画面を初期化するためにスキャン電極（Ｙ１乃至Ｙｎ）に漸進的に立ち上がる上昇信号または漸進的に立ち下がる下降信号の内で少なくともいずれか一つを含むリセット波形を印加する。
【００４８】
またスキャン駆動部２４は、リセット波形がスキャン電極（Ｙ１乃至Ｙｎ）に供給された後、アドレス期間の間、スキャンラインを選択するためにスキャン電極（Ｙ１乃至Ｙｎ）にスキャン基準電圧（Ｖｓｃ）と、スキャン基準電圧（Ｖｓｃ）から負極性レベルに立ち下がるスキャン信号を印加する。
【００４９】
また、スキャン駆動部２４は、サステイン期間の間アドレス期間で選択されたセルでサステイン放電が起きることができるようにするサステイン信号をスキャン電極（Ｙ１乃至Ｙｎ）に供給する。
【００５０】
サステイン駆動部２５は、タイミングコントローラ２６の制御の下に、リセット期間内の少なくとも一部期間及びアドレス期間の間サステイン電圧（Ｖｓ）レベルを持つバイアス電圧をサステイン電極（Ｚ）に供給した後、サステイン期間の間スキャン駆動部２４と交互に動作してサステイン信号をサステイン電極（Ｚ）に供給する。
【００５１】
ここで、従来と差別的に本発明の第１実施形態によるプラズマディスプレイ装置では、サブフィールド数制御部２２をさらに含むことができる。
【００５２】
サブフィールド数制御部２２は、外部から前記プラズマディスプレイパネルに入力される映像データの有効無効によって一つのフレームのサブフィールドの数を調節することができる。ここで、映像データが有効な場合とは、外部から有効な映像データが入力される場合である。映像データの無効とは、外部から映像データが入力されない場合、すなわち、目的とする画像表示のための有効信号が存在しない場合を示す。
【００５３】
このような映像データの有効無効は、一例では、無効信号状態検出部２１を通じて判別することができる。
【００５４】
無効信号状態検出部２１は、一例では、外部の映像データの入力を受けて、無効信号状態可否を判別して無効信号状態可否判断信号（Ｓ）をサブフィールド数制御部２２に印加することができる。具体的には、無効信号状態検出部２１は、有効な映像データが入力される場合に、映像データが有効であることを示す信号（Ｓ）を出力する。一方、無効信号状態検出部２１は、外部から映像データが入力されない場合（目的とする画像表示のための有効信号が存在しない場合）に、映像データが無効であることを示す信号（Ｓ）を出力する。
【００５５】
サブフィールド数制御部２２は、一例では、無効信号状態検出部２１から印加を受けた無効信号状態可否判断信号（Ｓ）情報によって、サブフィールド数制御信号（ＣＴＲｓｆｎ）をデータ駆動部２３、スキャン駆動部２４及びサステイン駆動部２５に印加することができる。
【００５６】
前述のデータ駆動部２３、スキャン駆動部２４及びサステイン駆動部２５それぞれは、サブフィールド数制御部２２で印加受けたサブフィールド数制御信号（ＣＴＲｓｆｎ）によって調節されたサブフィールドによってそれぞれ駆動される。
【００５７】
サブフィールド数制御部２２は、一例では、無効信号状態検出部２１から印加受けた無効信号状態可否判断信号（Ｓ）が無効信号状態の場合、有効信号の場合より一つのフレームのサブフィールド数を調節することができる。
【００５８】
一例では、映像データが無効信号の場合に有効信号の場合より一つのフレームのサブフィールドの数を減少させることができる。
【００５９】
一つのフレームのサブフィールドの数が減少するようになればスイチング回数を減らすことができる。これはドライバー ＩＣの発熱を減少させることができるだけでなく駆動特性を向上させることができる。
【００６０】
また、上記のようにサブフィールドが減少すれば、そのサブフィールドにあたるサステイン信号数も減少することができる。これによって画面に現われる残像を最小化させることができるし、またより高品質の画像を具現するプラズマディスプレイ装置を提供することができるようになる。
【００６１】
また、本発明では、また他の一例に前述のスイチング回数を減らして発熱を最小化させるためにデータ信号を印加しないこともある。すなわち、アドレス期間にデータ電極で一定電圧が維持されるようにしてデータ信号のスイチングを減らして発熱問題を効果的に解決することができるのである。
【００６２】
一方、プラズマディスプレイ装置の画像を処理する時間単位である一つのフレームの時間は皆等しいことが可能である。等しい一つのフレーム内でサブフィールド数を減少させることで上述したのような駆動条件を最適化させることができるのである。
【００６３】
タイミングコントローラ２６は、垂直/水平同期信号の入力を受けて、各駆動部に必要なタイミング制御信号（ＣＴＲＸ、ＣＴＲＹ、ＣＴＲＺ）を発生して、そのタイミング制御信号（ＣＴＲＸ、ＣＴＲＹ、ＣＴＲＺ）を該当の駆動部（２３、２４、２５）に供給することで各駆動部（２３、２４、２５）を制御する。データ駆動部２３に印加されるタイミング制御信号（ＣＴＲＸ）には、データをサンプリングするためのサンプリングクロック、ラッチ制御信号、エネルギー回収回路と駆動スイッチ素子のオン/オフタイムを制御するためのスイッチ制御信号が含まれる。スキャン駆動部２４に印加されるタイミング制御信号（ＣＴＲＹ）には、スキャン駆動部２４内のエネルギー回収回路と駆動スイッチ素子のオン/オフタイムを制御するためのスイッチ制御信号が含まれる。サステイン駆動部２５に印加されるタイミング制御信号（ＣＴＲＺ）には、サステイン駆動部２５内のエネルギー回収回路と駆動スイッチ素子のオン/オフタイムを制御するためのスイッチ制御信号が含まれる。
【００６４】
駆動電圧発生部２７は、サステイン電圧（Ｖｓ）、スキャン基準電圧（Ｖｓｃ）、データ電圧（Ｖａ）、スキャン電圧（−Ｖｙ）などを含む各駆動部（２３、２４、２５）で要する各種駆動電圧を発生する。このような駆動電圧は放電ガスの組成や放電セル構造によって変わることができる。
【００６５】
本発明は、上述した無効信号状態を判断する過程やそれによる無効信号状態検出部２１ 及びサブフィールド数制御部２２のような構成要素に限定されない。すなわち、映像データの有効無効によって一つのフレームのサブフィールド数が調節されるものが本発明に含まれると思うことが相当なのである。
【００６６】
このような本発明の第１実施形態でサブフィールド数を減らすことで現われる効果を図５を参照して具体的に説明すれば次のようである。
【００６７】
図５は図２の本発明の第１実施形態で現われる効果を説明するための図である。
【００６８】
図５はコムポジト（ｃｏｍｐｏｓｉｔｅ）方式の無効信号状態の画面パターンを示す図である。図５に示すのような無効信号状態では一ピクセルがオンされて、次の隣接ピクセルがオフされる画面パターンのようにホワイトノイズ（Ｗｈｉｔｅ ｎｏｉｓｅ）が発生するようになる。
【００６９】
このようなパターンでは、特にデータドライバーＩＣにスイチング動作が増加されるが、本発明の第１実施形態では、サブフィールド数を減らすことでスイチング動作を減少させることができるのである。また、データドライバーＩＣの発熱を減少させることで駆動の安全性を確保することができる。
【００７０】
また、サブフィールド数制御部２２は、高階調サブフィールドを減少させて一つのフレームのサブフィールド数を減少させることができる。一例では、加重値手順によるサブフィールドの内で四番目以後のサブフィールドの数を減少させることができる。
【００７１】
このように高階調サブフィールドの数を減少させることでより効果的にスイチング動作を減少させることができる。また、無効信号状態は、階調情報の意味が付与されるのではないので、高階調サブフィールドの数を減少させて効率的にデータドライバーＩＣの発熱を減らすことができるのである。
【００７２】
また、他の例には、一つのフレームのサブフィールドを減少させる時二つ以上の連続されたサブフィールドを減少させることができる。
【００７３】
以上で注意深く見たのように、本発明の第１実施形態によるプラズマディスプレイ装置は、映像データの有効無効によってサブフィールドの数を調節することで、データドライバーＩＣの発熱を減少させて安定的な駆動を確保することができるようにする。
【００７４】
図６は本発明のプラズマディスプレイ装置の第２実施形態を示す図である。
【００７５】
図６に示すように、本発明の第２実施形態によるプラズマディスプレイ装置は、外部から入力される映像データを映像処理して画像が具現されるプラズマディスプレイパネル６００と、プラズマディスプレイパネル６００に形成されたデータ電極（Ｘ１乃至Ｘｍ）にデータを供給するためのデータ駆動部６３と、スキャン電極（Ｙ１乃至Ｙｎ）を駆動するためのスキャン駆動部６４と、共通電極であるサステイン電極（Ｚ）を駆動するためのサステイン駆動部６５と、それぞれの駆動部を制御するためのコントロール部６６と、それぞれの駆動部（６３、６４、６５）に必要な駆動電圧を供給するための駆動電圧発生部６７を含む。
【００７６】
スキャン駆動部６４は、サステイン期間の間アドレス期間で選択されたセルでサステイン放電が起きることができるようにするサステイン信号すなわち、サステイン信号数制御部６２から印加を受けたサステイン信号情報によって、調節された個数のサステイン信号をスキャン電極（Ｙ１乃至Ｙｎ）に供給する。
【００７７】
サステイン駆動部６５は、サステイン期間の間スキャン駆動部６４と交互に動作してサステイン信号数制御部６２から印加を受けたサステイン信号情報によって、調節された個数のサステイン信号をサステイン電極（Ｚ）に供給する。
【００７８】
ここで、図６の本発明の第２実施形態と図２の本発明の第１実施形態の重複される構成要素の説明は省略する。しかし、同一構成要素としても構成及び役目が等しく限定されるのではないことを明らかにしておく。
【００７９】
本発明の第２実施形態によるプラズマディスプレイ装置では、従来と差別的にサステイン信号数制御部６２をさらに含むことができる。
【００８０】
サステイン信号数制御部６２は、外部から前記プラズマディスプレイパネルに入力される映像データの有効無効によって、一つのフレームのサステイン信号数を調節することができる。
【００８１】
このような映像データの有無は一例では無効信号状態検出部６１を通じて判別することができる。
【００８２】
無効信号状態検出部６１は、一例では、外部の映像データの入力を受けて無効信号状態可否を判別して、無効信号状態可否判断信号（Ｓ）をサステイン信号数制御部６２に印加することができる。
【００８３】
サステイン信号数制御部６２は、一例では、無効信号状態検出部６１から印加を受けた無効信号状態可否判断信号（Ｓ）情報によって、サステイン信号個数制御信号（ＣＴＲｓｐｎ）を、データ駆動部６３、スキャン駆動部６４及びサステイン駆動部６５に印加することができる。
【００８４】
前述のデータ駆動部６３、スキャン駆動部６４及びサステイン駆動部６５それぞれは、サステイン信号数制御部６２から印加を受けたサステイン信号個数制御信号（ＣＴＲｓｐｎ）によってそれぞれ駆動される。
【００８５】
サステイン信号数制御部６２は、一例では、無効信号状態検出部６１から印加を受けた無効信号状態可否判断信号（Ｓ）が無効信号状態の場合、無効信号状態ではない場合より一つのフレームのサステイン信号数を減少させることができる。
【００８６】
このように無効信号状態で一つのフレームのサステイン信号数を減少させることで、パネル残像特性を改善させることができるが、より詳しく説明すれば次の図７及び８のようである。
【００８７】
図７は、ＡＰＬ（ＡｖｅｒａｇｅＰｉｃｔｕｒｅ Ｌｅｖｅｌ）とサステイン信号数との相関関係を示す図である。
【００８８】
図７に示すように、プラズマディスプレイパネルの駆動の時、平均画像レベル（ＡＰＬ： Ａｖｅｒａｇｅ Ｐｉｃｔｕｒｅ Ｌｅｖｅｌ）によってサステイン期間の間印加されるサステイン信号の数を異なるように割り当てする。すなわちサステイン信号のレベルが高電圧という点を考慮して、ＡＰＬによって印加されるサステイン信号の数を調節して電力消耗を最小化することができるのである。
【００８９】
図７に示すのように、入力される映像データがない（ＡＰＬ＝０）無効信号状態及び低い水準のAPLレベルでは最大個数のサステイン信号が印加される。一方、ＡＰＬレベルが増加するによって単位階調だ割り当てされるサステイン信号の個数は減少するようになる。すなわち、平均画像レベル（ＡＰＬ）が増加するほどサステインパルスの個数は減少して、 平均画像レベル（ＡＰＬ）の値が減少するほどサステインパルスの個数は増加する。
【００９０】
例えば、プラズマディスプレイパネルの画面上で相対的に大きい面積の部分に映像が表示される場合は電力消耗が大きく増加する。このように映像が表示される面積が相対的に大きい場合に(このような場合はＡＰＬレベルは相対的に大きい場合である)、映像表示に寄与する放電セルの個数が相対的に多いから映像表示に寄与する放電セル各々に供給される単位階調当たりサステインパルスの個数を相対的に少ないようにすることで、プラズマディスプレイパネルの全体電力消耗の量を減らすのである。
【００９１】
これとは反対に、プラズマディスプレイパネルの画面上で相対的に小さな面積の部分にだけ映像が表示される場合は相対的に電力消耗が大きく減る。このように映像が表示される面積が相対的に小さな場合に(このような場合はＡＰＬレベルが相対的に小さな場合である)、映像表示に寄与する放電セルの個数が相対的に少ないから映像表示に寄与する放電セル各々に供給される単位階調当たりサステインパルスの個数を相対的に多くする。こういうわけでピーク輝度を高めて画質を向上させることができる。このように、平均画像レベル（ＡＰＬ）を考慮した駆動方法によってプラズマディスプレイパネルの弱点であるピーク輝度を強くして全体画質を向上させるだけでなく、プラズマディスプレイパネルの全体電力消耗量の急激な増加を防止することができる。
【００９２】
ここで、本発明の第２実施形態によるプラズマディスプレイ装置では、無効信号状態すなわち、平均画像レベル（ＡＰＬ）が低い状態で最大サステイン信号が割り当てられるが、これを無効信号画面パターンを参照して説明すれば次の図８のようである。
【００９３】
図８は図６の本発明の第２実施形態で現われる効果を説明するための図である。
【００９４】
図８はコンポーネント（ｃｏｍｐｏｎｅｎｔ）方式の無効信号状態の画面パターンを示す図である。図８に示すのような無効信号状態は、前述のように低いＡＰＬレベルで駆動されて相対的にサステイン信号数が多く割り当てされる。
【００９５】
このようなパターンではサステイン信号数が増加して残像がひどくなるおそれがあるが、本発明の第２実施形態ではサステイン信号個数を減少させることで残像問題を最小化することができる。それによって画質特性を向上させることができる。
【００９６】
また、無効信号状態は、目的とする映像データが存在するのではないから、輝度を減少させて表示することができる。それによって電力消耗を低減して、ドライバーＩＣの発熱を減少させることができる効果がある。
【００９７】
また、サステイン信号数制御部６２は、高階調サブフィールドでサステイン信号数を減少させることで一つのフレームのサステイン信号数を減少させることができる。一例では、加重値手順によるサブフィールドの内で四番目以後のサブフィールドのサステイン信号数を減少させることができる。
【００９８】
このように高階調サブフィールドのサステイン信号数を減少させることでより効果的にサステイン信号数を減少させることができる。すなわち、高階調サブフィールドに割り当てされるサステイン信号数が低階調サブフィールドに割り当てされるサステイン数より多いので、効率的に残像を低減させることができるのである。
【００９９】
この時、一つのフレームのサステイン信号数は２００以下で調節して残像発生を最小化することができる。
【０１００】
以上で注意深く見たように、本発明の第２実施形態によるプラズマディスプレイ装置は、映像データの有効無効によって、一つのフレームのサステイン信号数を調節することで残像特性を改善して向上した画質を提供することができるようにする。
【０１０１】
図９は本発明のプラズマディスプレイ装置の第３実施形態を示す図である。
【０１０２】
図９に示すように、本発明の第３実施形態によるプラズマディスプレイ装置は、外部から入力される映像データを映像処理して画像が具現されるプラズマディスプレイパネル９００と、プラズマディスプレイパネル９００に形成されたデータ電極（Ｘ１乃至Ｘｍ）にデータを供給するためのデータ駆動部９３と、スキャン電極（Ｙ１乃至Ｙｎ）を駆動するためのスキャン駆動部９４と、共通電極であるサステイン電極（Ｚ）を駆動するためのサステイン駆動部９５と、それぞれの駆動部を制御するためのコントロール部９６と、それぞれの駆動部（９３、９４、９５）に必要な駆動電圧を供給するための駆動電圧発生部９７を含む。
【０１０３】
スキャン駆動部９４は、サステイン期間の間、アドレス期間で選択されたセルでサステイン放電が起きることができるようにするサステイン信号すなわち、サステイン信号制御部９２で印加受けたサステイン信号情報によって調節された個数のサステイン信号をスキャン電極（Ｙ１乃至Ｙｎ）に供給する。
【０１０４】
サステイン駆動部９５は、サステイン期間の間スキャン駆動部９４と交互に動作してサステイン信号制御部９２で印加受けたサステイン信号情報によって調節された個数のサステイン信号をサステイン電極（Ｚ）に供給する。
【０１０５】
ここで、 図９の本発明の第３実施形態と図２の本発明の第１実施形態の重複される構成要素の説明は略する。しかし、同一構成要素としても構成及び役目が等しく限定されるのではないことを明らかにしておく。
【０１０６】
本発明の第３実施形態によるプラズマディスプレイ装置では従来と差別的にサステイン信号制御部９２をさらに含むことができる。
【０１０７】
サステイン信号制御部９２は外部からプラズマディスプレイパネルに入力される映像データの有効無効によって一つのフレームのサステイン信号を調節することができる。
【０１０８】
このような映像データの有無は、一例では、無効信号状態検出部９１を通じて判別することができる。
【０１０９】
無効信号状態検出部９１は、一例では、外部の映像データを入力受けて無効信号状態可否を判別して無効信号状態可否判断信号（Ｓ）をサステイン信号制御部９２で印加することができる。
【０１１０】
サステイン信号制御部９２は、一例では、無効信号状態検出部９１から印加を受けた無効信号状態可否判断信号（Ｓ）情報によってサステイン信号制御信号（ＣＴＲｓｐ）をデータ駆動部９３、スキャン駆動部９４及びサステイン駆動部９５に印加することができる。
【０１１１】
前述のデータ駆動部９３、スキャン駆動部９４及びサステイン駆動部９５それぞれは、サステイン信号制御部９２から印加を受けたサステイン信号制御信号（ＣＴＲｓｐ）によってそれぞれ駆動される。
【０１１２】
サステイン信号制御部９２は、サステイン信号の上昇時間を調節することができる。 一例では、無効信号状態検出部９１から印加を受けた無効信号状態可否判断信号（Ｓ）が無効信号状態の場合、無効信号状態ではない場合よりサステイン信号の上昇時間を長く調節することができる。これに対して詳しく説明すれば次の図１０のようである。
【０１１３】
図１０は本発明の第３実施形態によるサステイン信号の調節を説明するための図である。
【０１１４】
図１０の（ａ）は、画像を表示するための映像データがある場合のサステイン信号（ＳＵＳ１）を示すことで、（ｂ）は無効信号状態で印加されるサステイン信号（ＳＵＳ２）を示すのである。
【０１１５】
図１０に示すように、無効信号状態で印加されるサステイン信号（ＳＵＳ２）の上昇時間（△Ｔ２）を映像データがある場合のサステイン信号（ＳＵＳ１）の上昇時間（△Ｔ１）より長く調節することができる。これによって残像特性を改善することができる効果がある。一例では、無効信号状態のサステイン信号（ＳＵＳ２）の上昇時間（△Ｔ２）を４５０ｎｓ以上６５０ｎｓ以下で調節して残像を改善することができる。
【０１１６】
これはまた、前述の図８のコンポーネント（ｃｏｍｐｏｎｅｎｔ）方式の無効信号画面パターンにおいてサステイン信号によって誘発される残像を最小化することができる効果がある。これによって画質特性を改善させて不必要な輝度発生を防止することができるようになる。
【０１１７】
本発明の第３実施形態によるサステイン信号は高階調サブフィールドで調節されることができる。一例では、加重値手順によるサブフィールドの内で四番目以後のサブフィールドのサステイン信号の上昇時間を調節することができる。
【０１１８】
このようにサステイン信号の数が多い高階調サブフィールドでサステイン信号を調節することでより効果的に残像を低減させることができる。
【０１１９】
以上で注意深く見たのように、本発明の第３実施形態によるプラズマディスプレイ装置は映像データの有効無効によってサステイン信号の形態を調節することで、残像特性を改善して向上した画質を提供することができるようにする。
【０１２０】
ここで、サステイン信号は前述の上昇時間に限定されない。たとえば、サステイン信号幅の調節は多様に実施することができる。すなわち、サステイン信号の幅はサステイン信号の上昇時間、サステイン信号の維持時間とサステイン信号の下降時間皆を含む。だからサステイン信号を調節する本発明の第３実施形態は前述のサステイン信号の上昇時間を調節することに限定されないで、下降時間や維持時間を調節するなどのすべてのものが含まれることができるのである。
【０１２１】
また、本発明は上述した構成要素に限定されない。そして、上述した実施形態の多様な組合で実施することができる。すなわち、外部で入力される映像データの有効無効によってひとつのフレームのサブフィールド数、サステイン信号数及びサステイン信号の形態などの駆動条件が異なりに調節されたら本発明に含まれると考えることが相当なのである。
本発明によれば、無効信号状態に起因する残像を抑制できる。
また、ドライバー集積回路（ＩＣ）のスイチング回数を抑制することができる。これにより、発熱を抑制して消費電力を低減することができるとともに、ドライバ集積回路の劣化を防止できる。
従って、本発明によれば、無効信号状態におけるプラズマディスプレイ装置の駆動方法を改善し、プラズマディスプレイ装置の駆動を安定化させ信頼性を向上さ得る。
【図面の簡単な説明】
【０１２２】
【図１】一般的なプラズマディスプレイパネルの構造を示す斜視図。
【図２】本発明のプラズマディスプレイ装置の第１実施形態を示す図。
【図３】本発明のプラズマディスプレイ装置の画像階調を具現する方法の一例を示す図。
【図４】本発明のプラズマディスプレイ装置の駆動波形の一例を示す図。
【図５】図２の本発明の第１実施形態で示される効果を説明するための図。
【図６】本発明のプラズマディスプレイ装置の第２実施形態を示図。
【図７】ＡＰＬ（Ａｖｅｒａｇｅ Ｐｉｃｔｕｒｅ Ｌｅｖｅｌ）とサステイン信号数との相関関係を示す図。
【図８】図６の本発明の第２実施形態で現われる効果を説明するための図。
【図９】本発明のプラズマディスプレイ装置の第３実施形態を示す図。
【図１０】本発明の第３実施形態によるサステイン信号の調節を説明するための図。
【図５】
2007094383.tif 000003
【図８】
2007094383.tif 000004
【図１０】
2007094383.tif 000005
【図１】
2007094383.tif 000006
【図２】
2007094383.tif 000007
【図３】
2007094383.tif 000008
【図４】
2007094383.tif 000009
【図６】
2007094383.tif 000010
【図７】
2007094383.tif 000011
【図９】
2007094383.tif 000012